(57)【要約】【課題】  天井が低い作業場においても、吊り上げ距離を長くとることができ、重量物を吊り上げる際に高く吊り上げることができるため、重量物の吊り下げ・移動作業を容易に行うことができるという優れた特徴を有する天井クレーンの吊下げ用治具を提供する。【解決手段】  重量物を吊り下げて移動する天井クレーンにおいて、該天井クレーンに取付けられた吊り下げ用治具が、天井クレーンの滑車部分と重量物を吊り下げるハンガー部分が一体となって形成され、天井クレーンが移動する天井部分とハンガー部分との吊り上げ距離が長くなるように構成されていることを特徴とする天井クレーンの吊り下げ用治具。本発明の吊り下げ用治具のような構造とすることにより、ホイストハンガーの位置を高くすることができ、必要とする高さまでフレコンを容易に吊り上げることができる。【選択図】  図１
2005255302.tif 000002
【特許請求の範囲】
【請求項１】
重量物を吊り下げて移動する天井クレーンにおいて、該天井クレーンに取付けられた吊り下げ用治具が、天井クレーンの滑車部分と重量物を吊り下げるハンガー部分が一体となって形成され、天井クレーンが移動する天井部分とハンガー部分との吊り上げ距離が長くなるように構成されていることを特徴とする天井クレーンの吊り下げ用治具。
【請求項２】
請求項１記載のハンガー部分が４本のアームと各アームの先端部に取付けられたフックを有し、該ハンガー部分の中心部には天井クレーンの滑車部分と接続固定するボルト穴が設けられ、かつ、アームの先端部を上方へ曲げてフックが取付けられたフレキシブルコンテナ用ハンガーである請求項１記載の天井クレーンの吊り下げ用治具。
【発明の詳細な説明】
【技術分野】
【０００１】
本発明は、天井クレーンの吊下げ用治具に関するものである。更に詳しくは、天井が低い作業場においても、重量物の吊り下げ・移動作業を容易に行うことができるという優れた特徴を有する天井クレーンの吊下げ用治具に関するものである。
【背景技術】
【０００２】
天井クレーン（以下ホイストと言うこともある）は、重量物を吊り下げて移動する作業に広く用いられている。特に天井が低い作業場においては有用である。一方、いわゆるフレキシブルコンテナ（以下フレコンと略すこともある）は、５００ｋｇや１ｔｏｎ程度の粒状や粉状の材料等を輸送する場合等に便利であるので広く用いられている。このフレコンに内容物を充填したり、排出する作業設備の設置場所は天井の低い場合が多い。従来、天井クレーンに取付けられた吊り下げ用治具（以下ホイストハンガーと言うこともある）は、ホイストの滑車部分にフックを取付け、該フックにホイストハンガーを吊り下げ、そのホイストハンガーのフックにフレコン等を吊り下げて移動させ、充填・排出等の作業を行うのが一般的であったが、特に既存の設備場所で、作業合理化のためにより大きいフレコンを使用したい場合等には、吊り上げ高さの余裕が無く作業性が悪いために極力吊り上げ距離を高くすることができる吊り下げ用治具の開発が要望されていた。
【０００３】
フレコン開袋装置の改良としては、開袋装置の蓋に、吊り上げ具と吊り下げ具を取付け、フレコンを吊り下げた後開袋装置の中へ入れて、蓋を閉めたままの状態でフレコンを開袋する装置（特許文献１参照）や発酵用容器のフレコン専用の形状の吊り具が用いられている例（特許文献２参照）があるが、いずれも吊り下げ具とホイストを接続する部分は吊り輪とフックの組み合わせになっており、天井の低い作業場において極力高く吊り上げるための吊り下げ用治具に対する工夫はなされていない。
【０００４】
【特許文献１】特開２００２−１４５２２１号公報（第１頁、代表図）
【特許文献２】特開２００１−２０６７９３号公報（第８頁、図３）
【発明の開示】
【発明が解決しようとする課題】
【０００５】
かかる状況において、本発明が解決しようとする課題は、天井が低い作業場においても、吊り上げ距離を長くとることができ、重量物の吊り下げ・移動作業を容易に行うことができるという優れた特徴を有する天井クレーンの吊下げ用治具を提供する点にある。
【課題を解決するための手段】
【０００６】
すなわち、請求項１に係る発明は、重量物を吊り下げて移動する天井クレーンにおいて、該天井クレーンに取付けられた吊り下げ用治具が、天井クレーンの滑車部分と重量物を吊り下げるハンガー部分が一体となって形成され、天井クレーンが移動する天井部分とハンガー部分との吊り上げ距離が長くなるように構成されていることを特徴とする天井クレーンの吊り下げ用治具であり、請求項２に係る発明は、前記ハンガー部分が４本のアームと各アームの先端部に取付けられたフックを有し、該ハンガー部分の中心部には天井クレーンの滑車部分と接続固定するボルト穴が設けられ、かつ、アームの先端部を上方へ曲げてフックが取付けられたフレキシブルコンテナ用ハンガーである天井クレーンの吊り下げ用治具である。
【発明の効果】
【０００７】
本発明により、天井が低い作業場においても、吊り上げ距離を長くとることができ、重量物を吊り上げる際に高く吊り上げることができるため、重量物の吊り下げ・移動作業を容易に行うことができるという優れた特徴を有する天井クレーンの吊下げ用治具を提供することができる。
【発明を実施するための最良の形態】
【０００８】
図１、２、３に基づいて本発明を具体的に説明する。図１は、本発明の吊り下げ用治具と天井クレーンとの接続状況を示す図であり、図２に示したフレコン用ハンガー部分２２を天井クレーンの滑車部分１１と接続した状況を示している。本発明の吊り下げ用治具とは、このように天井クレーンの滑車部分１１とハンガー部分１２が接続されて一体となって形成されているもの全体を指称している。
【０００９】
上記の例では滑車部分は、２つの滑車がワイヤーロープ１５で上下するようになっている。滑車部分とハンガー部分との接続は、この２つの滑車（図１では破線で示している。）の中間部にボルト穴を設けて、ボルト１３で固定している。この固定方法は、ボルトに限らず溶接等の方法で固定しても良い。ハンガー部分１２の形態は、吊り下げる重量物の種類によって任意に選ぶことができる。
【００１０】
図３は、従来の吊り下げ用治具と天井クレーンとの接続状況を示している。天井クレーンの滑車３５とハンガー３２との接続は、吊り輪３１を滑車に取付けられたハンガー吊り下げ用フック３４に吊り下げている。一方、本発明の吊り下げ用治具では、従来のように吊り輪３１を滑車に取付けられたハンガー吊り下げ用フック３４の接続に要する長さが不要であり、低い天井に設けられた天井クレーンであっても重量物を高く吊り上げることが可能になる。
【００１１】
図２は、本発明で用いられるフレコン用ハンガー部分の上面を示す図であり、側面図は、図１のハンガー部分１２として示されている。天井クレーンの滑車部分とハンガー部分を一体化することによって低い天井でも高く重量物を吊り上げることが可能になるが、さらに図１に示したようにハンガーのアームを上方へ曲げて取り付けたフックを上方に持ち上げることによって、吊り下げたフレコンをより高く吊り上げることができる。図１および図２に示したハンガー部分は、特にフレキシブルコンテナーを吊り上げるのに有用に用いられる。該ハンガー部分は４本のアームと各アームの先端部に取付けられたフックを有し、中心部には天井クレーンの滑車部分と接続固定するボルト穴が設けられ、かつ、アームの先端部を上方へ曲げてフックが取付け、フレコンをより高く吊り上げることを可能にしたフレコン用ハンガーである
【００１２】
以上詳細に述べたように、天井の高さに制限がある既存の作業場等において、フレコンを最も高く吊り上げても必要とする高さまで吊り上げられないという問題が発生する場合がある。かかる場合には、本発明の吊り下げ用治具のような構造とすることにより、ホイストハンガーの位置を高くすることができ、必要とする高さまでフレコンを容易に吊り上げることができる。吊り上げられたフレコンは所定の位置に移動され、収納物が排出される。
【００１３】
本発明のハンガーの素材としては、重量物の重量に耐える強度が得られるものであれば特に制限はないが、通常はＳＳ４００等を用いることができる。
【００１４】
次に、本発明を実施例により説明するが、もとより本発明は、これらの例によって何ら限定されるものではない。
【実施例】
【００１５】
実施例１
フレコン用に用いる天井クレーンの吊り下げ用治具のハンガー部分として、図１、図２に示すような、フレコン用ホイストハンガーを製作した。アームが交わる中心に、アームと直交する様に内径４８ｍｍの穴が貫通させ、ホイストの滑車部分に取付けられているフックに代えてボルトで接続し、固定した。滑車部分の下端からハンガーのアーム上端の距離は２０ｍｍであった。一方、図３に示すように従来のフレコン用ホイストハンガーはアームが交わる中心の上部に吊り輪が設けられている。その吊り輪にホイストのフックを掛けてホイストハンガーを吊り下げるようになっている。フックブロック下端からハンガーのアーム上端の距離は２１０ｍｍであった。このように、本発明のフレコン用ハンガーを用いることによって、フレコンを１９０ｍｍ高く吊り上げることが可能になり、わずかに高さが不足するために、作業の不便さ等が解消され、建屋の改造等も不要になった。
【図面の簡単な説明】
【００１６】
【図１】本発明の吊り下げ用治具と天井クレーンとの接続状況を示す図である。
【図２】本発明で用いられるフレコン用ハンガー部分の上面を示す図である。
【図３】従来の吊り下げ用治具と天井クレーンとの接続状況を示す図である。
【符号の説明】
【００１７】
１１…滑車部分、１２…ハンガー部分、１２ａ…アーム、１３…ハンガー部分と滑車部分を接続するボルト、１４…フック、１５…ワイヤーロープ、１６…駆動部分、１７…天井レール、１８…天井、２２…フレコン用ハンガー部分、２３…ハンガー部分と滑車部分を接続するボルト穴、２４…フック取付け部分、３１…吊り輪、３２…ハンガー、３３…フック、３４…滑車に取付けられたハンガー吊り下げ用フック、３５…滑車、３６…ワイヤーロープ、３７…駆動部分、３８…天井レール、３９…天井
【図１】
2005255302.tif 000003
【図２】
2005255302.tif 000004
【図３】
2005255302.tif 000005